【手続補正書】
【提出日】令和2年6月15日(2020.6.15)
【手続補正１】
【補正対象書類名】特許請求の範囲
【補正対象項目名】全文
【補正方法】変更
【補正の内容】
【特許請求の範囲】
【請求項１】
電気エネルギ供給ユニットのためのコントローラであって、
ａ）前記電気エネルギ供給ユニットの第１のエネルギ貯蔵部の第１の充てんレベルが伝送され得る第１の充てんレベル入力部と、
ｂ）さらなる電気エネルギ供給ユニットの随意によるさらなるエネルギ貯蔵部のさらなる充てんレベルが伝送され得るさらなる充てんレベル入力部と、
ｃ）前記第１の充てんレベルおよび／または前記さらなる充てんレベルを考慮して公称交流電圧を決定するように設計された公称交流電圧決定部と、
ｄ）前記公称交流電圧を前記電気エネルギ供給ユニットの交流電圧発生部へと伝送することができる公称交流電圧出力部と
を備える、電気エネルギ供給ユニットのためのコントローラ。
【請求項２】
前記公称交流電圧決定部は、前記第１の充てんレベルおよび／または前記さらなる充てんレベルを考慮して前記公称交流電圧の公称周波数を決定するように設計され、さらには／あるいは当該コントローラは、前記さらなる電気エネルギ供給ユニットのさらなる交流電圧発生部におけるさらなる交流電圧のさらなる周波数から、前記さらなるエネルギ貯蔵部の前記さらなる充てんレベルを決定するように設計されている、請求項１に記載のコントローラ。
【請求項３】
前記公称交流電圧決定部は、前記公称周波数が、
ａ）前記さらなる電気エネルギ供給ユニットが電気的に導通する様相で前記電気エネルギ供給ユニットへと接続されている場合に、前記さらなる周波数に基本的に対応し、
ｂ）そうでない場合に、基本的に前記第１の充てんレベルを考慮して決定される
ように構成されている、請求項２に記載のコントローラ。
【請求項４】
前記公称交流電圧決定部は、前記公称周波数が、
ａ）前記さらなる電気エネルギ供給ユニットが電気的に導通する様相で前記電気エネルギ供給ユニットへと接続されており、前記さらなる充てんレベルが前記充てんレベルを上回る場合に、前記さらなる周波数に基本的に対応し、
ｂ）そうでない場合に、基本的に前記第１の充てんレベルを考慮して決定される
ように構成されている、請求項２に記載のコントローラ。
【請求項５】
前記公称交流電圧決定部は、前記公称周波数が前記第１の充てんレベルにつれて一貫して高くなるように、前記第１の充てんレベルを考慮することができる、請求項２に記載のコントローラ。
【請求項６】
前記電気エネルギ供給ユニットの電気エネルギ供給源のための最大電力調節部をさらに備える、請求項１に記載のコントローラ。
【請求項７】
ａ）電気エネルギ供給源の余剰電力が伝送され得る余剰電力入力部
をさらに備え、
前記公称交流電圧決定部は、１００％の第１の充てんレベルにおいて、前記公称周波数を前記余剰電力に対して決定するようにさらに構成されている、請求項２に記載のコントローラ。
【請求項８】
前記公称交流電圧決定部は、前記公称周波数が前記余剰電力につれて一貫して高くなるように、前記第１の充てんレベルを考慮することができる、請求項７に記載のコントローラ。
【請求項９】
前記公称交流電圧決定部は、充てんレベル差に対して前記公称交流電圧の公称ｒ．ｍ．ｓ．値を決定するようにさらに設計され、前記充てんレベル差は、前記第１の充てんレベルから前記さらなる充てんレベルを差し引くことによって計算される、請求項１に記載のコントローラ。
【請求項１０】
前記公称交流電圧決定部は、前記充てんレベル差が定常状態においてゼロへと収束するように、前記公称交流電圧の前記公称ｒ．ｍ．ｓ．値を調節するようにさらに設計されている、請求項９に記載のコントローラ。
【請求項１１】
前記公称交流電圧決定部は、前記交流電圧発生部からの電流出力に従って前記公称交流電圧の前記公称ｒ．ｍ．ｓ．値を決定するようにさらに設計されている、請求項９に記載のコントローラ。
【請求項１２】
前記公称交流電圧決定部は、前記交流電圧発生部において過電圧が生じる場合に、少なくとも１つの公称交流電圧サイクルにおいて前記公称交流電圧をゼロに設定するようにさらに構成されている、請求項１に記載のコントローラ。
【請求項１３】
ａ）前記電気エネルギ供給ユニットに接続された負荷の負荷電力が伝送され得る負荷電力入力部と、
ｂ）前記電気エネルギ供給ユニットの前記交流電圧発生部によってもたらされる発生部電力が伝送され得る発生部電力入力部
をさらに備え、
前記公称交流電圧決定部は、
ｃ）前記第１の充てんレベルが前記さらなる充てんレベルよりも高い場合に、前記発生部電力が前記負荷電力よりも大きくなり、
ｄ）前記第１の充てんレベルが前記さらなる充てんレベルよりも低い場合に、前記発生部電力が前記負荷電力よりも小さくなり、
ｅ）前記第１の充てんレベルが前記さらなる充てんレベルに対応する場合に、前記発生部電力が前記負荷電力に等しくなる
ように公称ｒ．ｍ．ｓ．値を決定するようにさらに構成されている、請求項１に記載のコントローラ。
【請求項１４】
ａ）前記電気エネルギ供給ユニットから前記さらなる電気エネルギ供給ユニットへと流れる交換電力が伝送され得る交換電力入力部と、
ｂ）前記電気エネルギ供給ユニットと前記さらなる電気エネルギ供給ユニットとの間の導電性の接続を確立させるように設計された回路遮断器
をさらに備え、
前記回路遮断器は、
ｉ）前記交換電力がゼロよりも小さく、前記第１の充てんレベルが第１の所定の充てんレベルしきい値以下である場合、および
ｉｉ）前記交換電力がゼロよりも大きく、前記第１の充てんレベルが第２の所定の充てんレベルしきい値以下である場合
に、前記導電性の接続を遮断するように設計されている、請求項１に記載のコントローラ。
【請求項１５】
ａ）請求項１に記載のコントローラと、
ｂ）第１のエネルギ貯蔵部と、
ｃ）第１の端子および第２の端子を有する交流電圧発生部と
を備えており、
前記第１の端子は、電気的に導通する様相で前記第１のエネルギ貯蔵部に接続され、前記交流電圧発生部は、前記第２の端子に公称交流電圧に対応する交流電圧を生成するように設計されている、電気エネルギ供給ユニット。
【請求項１６】
前記第１のエネルギ貯蔵部の第１の充てんレベルを決定するための充てんレベル検出部、および／または入力側において電気供給ネットワークへと接続可能であり出力側において前記第１のエネルギ貯蔵部へと接続される充電装置、をさらに備える、請求項１５に記載の電気エネルギ供給ユニット。
【請求項１７】
前記第１のエネルギ貯蔵部に電気的に導通する様相で接続することができる電気エネルギ供給源をさらに備える、請求項１５に記載の電気エネルギ供給ユニット。
【請求項１８】
入力側において前記電気エネルギ供給源へと電気的に接続され、出力側において前記第１のエネルギ貯蔵部へと電気的に接続された電圧コンバータをさらに備える、請求項１７に記載の電気エネルギ供給ユニット。
【請求項１９】
請求項１５に記載の電気エネルギ供給ユニットと、少なくとも１つのさらなる電気エネルギ供給ユニットとを備えており、前記電気エネルギ供給ユニットおよび前記さらなる電気エネルギ供給ユニットは、電気的に導通する様相で互いに相互接続され、前記さらなる電気エネルギ供給ユニットは、請求項２に記載の電気エネルギ供給ユニットである、電気エネルギ供給システム。
【請求項２０】
請求項１５に記載の電気エネルギ供給ユニットを制御するための方法であって、以下のステップ、すなわち
ａ）前記電気エネルギ供給ユニットの第１のエネルギ貯蔵部の第１の充てんレベルおよび／またはさらなる電気エネルギ供給ユニットのさらなるエネルギ貯蔵部のさらなる充てんレベルを考慮して公称交流電圧を決定するステップと、
ｂ）前記公称交流電圧を前記電気エネルギ供給ユニットの交流電圧発生部へと伝送するステップと
を含む方法。